(57)【要約】【課題】  挿入された記録媒体を受け入れて支持するハウジングと、挿入された記録媒体の端子と電気的に接続するコンタクト部とを備え、ハウジングはボディとボディに連結されたカバーとからなる記録媒体用コネクタにおいて、挿入中の記録媒体から強いこじり力が加えられても、カバーがボディから浮き上がる、或いは、記録媒体用コネクタが基板から脱落する虞の抑制された記録媒体用コネクタを提供する。【解決手段】  カバー３に、カバー３のボディ２に対する連結に基づいて、基板７０に接合可能な被連結体６０をボディ２の支持壁部に押し付ける押し付け手段３ｅを設け、カバー３と被連結体６０との間に、カバー３を被連結体６０に係止させる係止機構３ｆを設けた。【選択図】        図１２
2006085979.tif 000002
【特許請求の範囲】
【請求項１】
挿入された記録媒体を受け入れて支持するハウジングと、挿入された記録媒体の端子と電気的に接続するコンタクト部とを備え、前記ハウジングはボディと前記ボディに連結されたカバーとからなり、且つ、基板に実装可能な記録媒体用コネクタであって、
前記カバーには、前記カバーの前記ボディに対する連結に基づいて、前記基板に接合可能な被連結体を前記ボディの支持壁部に押し付ける押し付け手段が設けられており、且つ、前記カバーと前記被連結体との間には、前記カバーを前記被連結体に係止させる係止機構が設けられている記録媒体用コネクタ。
【請求項２】
前記基板に接合された時、前記被連結体は前記基板に対して垂直に延出しており、前記係止機構は、前記被連結体に設けられた貫通孔と、前記カバーを前記基板に向けて押し付ける操作によって、前記貫通孔に押し嵌めされるべく前記カバーに設けられた爪部とを有する請求項１に記載の記録媒体用コネクタ。
【請求項３】
前記押し付け手段は前記カバーの一部を下方に曲げ加工した板状断片からなり、前記爪部は前記板状断片の更に一部を前記ボディの支持壁部に向けて切り起こして形成されている請求項２に記載の記録媒体用コネクタ。
【請求項４】
前記被連結体は前記基板に接合された時、前記カバーの前記基板を介しての接地を実現するアース端子として機能するように構成されている請求項１から３のいずれか一項に記載の記録媒体用コネクタ。
【請求項５】
前記ハウジングは、記録媒体が前記端子を下方に向けた表向き姿勢と前記端子を上方に向けた裏向き姿勢とのいずれで挿入されても受け入れて支持可能に設けられており、前記コンタクト部として、記録媒体が前記表向き姿勢で挿入された時に前記端子と接続する第１コンタクト部と、記録媒体が前記裏向き姿勢で挿入された時に前記端子と接続する第２コンタクト部とを備えている請求項１から４のいずれか一項に記載の記録媒体用コネクタ。
【請求項６】
前記第１コンタクト部と前記第２コンタクト部とは、遊端側に記録媒体の前記端子と接当可能な接点を備えた板バネ部材からなり、前記第１コンタクト部と前記第２コンタクト部の各接点どうしは、記録媒体の挿入方向に関してほぼ対向配置されている請求項５に記載の記録媒体用コネクタ。
【請求項７】
一度目の記録媒体の押し込み操作に基づいて記録媒体を前記端子と前記コンタクト部とが接続された挿入状態にロックし、二度目の記録媒体の押し込み操作に基づいて記録媒体を取り出し可能な排出状態まで排出するロック／排出機構が、記録媒体の表裏いずれの挿入姿勢でも機能するように、記録媒体の左右両側面に設けられた一対の被係止部に対応して前記ハウジングの両側部に設けられている請求項５または６に記載の記録媒体用コネクタ。
【請求項８】
前記ロック／排出機構は、記録媒体の側面に設けられた被係止部と係止可能で、係止された記録媒体を前記挿入状態に配置するロック位置と、記録媒体を前記排出状態に配置するイジェクト位置との間で移動可能なスライダ、前記一度目の押し込み操作に応じて前記スライダを前記ロック位置にロックするロック機構、及び、前記二度目の押し込み操作に応じて前記スライダを前記イジェクト位置に押出す付勢手段を備えている請求項７に記載の記録媒体用コネクタ。
【発明の詳細な説明】
【技術分野】
【０００１】
本発明は、記録媒体用コネクタに関し、より具体的には、メモリーカード等の記録媒体を受け入れて支持するハウジングと、挿入された記録媒体の端子と電気的に接続するコンタクト部とを備え、ハウジングはボディと同ボディに連結されたカバーとからなり、且つ、基板に実装可能な記録媒体用コネクタに関する。
【背景技術】
【０００２】
この種の記録媒体用コネクタとしては、本発明に関連する先行技術文献情報として下記に示す非特許文献１がある。この非特許文献１に記された記録媒体用コネクタでは、絶縁ベース（ボディ）に形成されたキャッチスロット内に接地プレート（連結部材）を係止させ、次に、金属カバーを絶縁ベースの上に嵌着させれば、金属カバーのフックプレートが絶縁ベースと機械的に結合され、同時に、金属カバーの挿入固定プレートに形成された凸部が絶縁ベースのフックブロックを乗り越えて、フックコンケーブ部と接地プレートとの間に挟着されるので、金属カバーと絶縁ベースの間の結合が実現されると同時に、カバーが接地プレートと確実に導通状態に保持され、基板との電気的接続（アース）が確保される。さらに、コネクタを基板に固定するには、コネクタのボディに係止された接地プレートを基板に半田付けすれば良いので、必ずしもコネクタ自身、例えばコネクタのカバーを基板とハンダ付けする必要がないという利点が得られる。
【特許文献１】実用新案登録第３１０１０７１号公報（段落番号０００７〜００１０、図６、図７）
【発明の開示】
【発明が解決しようとする課題】
【０００３】
しかし、非特許文献１に記された記録媒体用コネクタでは、金属カバーの一部が絶縁ベース（ボディ）とのみ係止されているので、もしも挿入中の記録媒体から強いこじり力が加えられると、金属カバーのフックプレートが変形して、金属カバーが絶縁ベースから浮き上がる、或いは、記録媒体用コネクタの他の部材、例えばコンタクト部の一部を基板と接合しない限り、接地プレートが記録媒体用コネクタの全体から抜け出して記録媒体用コネクタが基板から脱落する虞があった。
【０００４】
したがって、本発明の目的は、上に例示した従来技術による記録媒体用コネクタの持つ前述した欠点に鑑み、挿入中の記録媒体から強いこじり力が加えられても、カバーがボディから浮き上がる、或いは、記録媒体用コネクタが基板から脱落する虞の抑制された記録媒体用コネクタを提供することにある。
【課題を解決するための手段】
【０００５】
本発明の第１の特徴構成は、挿入された記録媒体を受け入れて支持するハウジングと、挿入された記録媒体の端子と電気的に接続するコンタクト部とを備え、前記ハウジングはボディと前記ボディに連結されたカバーとからなり、且つ、基板に実装可能な記録媒体用コネクタであって、前記カバーには、前記カバーの前記ボディに対する連結に基づいて、前記基板に接合可能な被連結体を前記ボディの支持壁部に押し付ける押し付け手段が設けられており、且つ、前記カバーと前記被連結体との間には、前記カバーを前記被連結体に係止させる係止機構が設けられている点にある。
【０００６】
したがって、本発明の第１の特徴構成による記録媒体用コネクタでは、カバーをボディに連結すると、先ず、基板上に接合可能な被連結体をボディの支持壁部に押し付ける押し付け手段の作用によって、被連結体がボディに固定されるので、被連結体を基板上に接合すれば、ボディの基板の面に沿った移動が確実に規制される。また、同時に、カバーは、これらの押し付け手段や係止機構とは別の個所に設けられた、例えばボディの左右両側面に形成された突起とカバーに形成された嵌合孔等とからなる嵌合手段によってボディに連結されるだけでなく、カバーと被連結体との間に設けられた係止機構の作用によって被連結体にも係止されるので、被連結体を基板上に接合すれば、カバーは被連結体との係止を介して間接的にボディに連結されるので、カバーの基板から離間する向きの変位が確実に規制される。したがって、もしも記録媒体によって強いこじり力が加えられても、同こじり力は、ボディによってではなく、被連結体が接合された基板によって受け止められるので、こじり力によってカバーがボディ（絶縁ベース）から浮き上がる虞が、非特許文献１に記された記録媒体用コネクタに比して格段に少なくなる。
【０００７】
本発明の第２の特徴構成は、前記基板に接合された時、前記被連結体は前記基板に対して垂直に延出しており、前記係止機構は、前記被連結体に設けられた貫通孔と、前記カバーを前記基板に向けて押し付ける操作によって、前記貫通孔に押し嵌めされるべく前記カバーに設けられた爪部とを有する点にある。
【０００８】
したがって、本発明の第２の特徴構成による記録媒体用コネクタでは、カバーをボディに連結する際には、単に、予め被連結体が係止されたボディに対して、カバーの爪部が被連結体に沿うようにカバーを上方から近付け、次に、カバーをボディに押し付けるという簡単な操作を行えば、自動的にカバーの爪部が被連結体の貫通孔に押し嵌めされて、カバーと被連結体とボディの３部材が互いに一体化される。
【０００９】
本発明の第３の特徴構成は、前記押し付け手段は前記カバーの一部を下方に曲げ加工した板状断片からなり、前記爪部は前記板状断片の更に一部を前記ボディの支持壁部に向けて切り起こして形成されている点にある。
【００１０】
したがって、本発明の第３の特徴構成による記録媒体用コネクタでは、押し付け手段を構成する板状断片と、係止機構の一方を構成する爪部とが実質的に同じ個所に設けてあるので、組立作業者は、カバーのボディへの連結に際して、爪部の位置を気に掛けず、押し付け手段を構成する板状断片を被連結体に沿うように配置することだけに注意すれば良く、後はカバーをボディに押し付ける操作だけ行えば良い。同押し付け操作を行えば、板状断片が被連結体に沿ってボディに対して変位するのと同時に、自動的に爪部が被連結体の貫通孔に係止され、カバーと被連結体とボディの３部材の一体化が完了する。
【００１１】
本発明の第４の特徴構成は、前記カバーの前記基板を介しての接地を実現する前記被連結体はアース端子として設けられている点にある。
【００１２】
したがって、本発明の第４の特徴構成による記録媒体用コネクタでは、カバーと被連結体とボディの３部材を一体化する操作を行い、被連結体を基板上の所定個所（アース用のランド部）に接合すれば、押し付け手段によって被連結体に確実に接地されているカバーは、基板を介して確実に接地（アース）されることになる。
【００１３】
本発明の第５の特徴構成は、前記ハウジングは、記録媒体が前記端子を下方に向けた表向き姿勢と前記端子を上方に向けた裏向き姿勢とのいずれで挿入されても受け入れて支持可能に設けられており、前記コンタクト部として、記録媒体が前記表向き姿勢で挿入された時に前記端子と接続する第１コンタクト部と、記録媒体が前記裏向き姿勢で挿入された時に前記端子と接続する第２コンタクト部とを備えている点にある。
【００１４】
したがって、本発明の第５の特徴構成による記録媒体用コネクタでは、記録媒体が表裏いずれの姿勢で挿入されても、ハウジングは損傷することなく記録媒体を受け入れるだけでなく、表裏いずれの姿勢で挿入されても第１コンタクト部と第２コンタクト部のいずれかが記録媒体の端子と電気的に正しく接続され、コネクタとしての機能を果たす。
【００１５】
本発明の第６の特徴構成は、前記第１コンタクト部と前記第２コンタクト部とは、遊端側に記録媒体の前記端子と接当可能な接点を備えた板バネ部材からなり、前記第１コンタクト部と前記第２コンタクト部の各接点どうしは、記録媒体の挿入方向に関してほぼ対向配置されている点にある。
【００１６】
したがって、本発明の第６の特徴構成による記録媒体用コネクタでは、記録媒体用コネクタに挿入された記録媒体は、第１コンタクト部の各接点と第２コンタクト部の各接点との双方によって表裏面から挟み付けられるように挟持されるので、記録媒体保持力の高い記録媒体用コネクタが得られる。また、挿入された記録媒体は、第１と第２コンタクト部のうち、端子との電気的接続を行うコンタクト部に対して、反対側のコンタクト部が記録媒体の端子を弾性的に押し付ける作用が生じるので、電気的な接続の確実性の高い記録媒体用コネクタが得られる。
【００１７】
本発明の第７の特徴構成は、一度目の記録媒体の押し込み操作に基づいて記録媒体を前記端子と前記コンタクト部とが接続された挿入状態にロックし、二度目の記録媒体の押し込み操作に基づいて記録媒体を取り出し可能な排出状態まで排出するロック／排出機構が、記録媒体の表裏いずれの挿入姿勢でも機能するように、記録媒体の左右両側面に設けられた一対の被係止部に対応して前記ハウジングの両側部に設けられている点にある。
【００１８】
したがって、本発明の第７の特徴構成による記録媒体用コネクタでは、記録媒体の押し込み操作のみで装着と排出の両操作がなされる利便性の高いロック／排出機構を、記録媒体が表向き姿勢と裏向き姿勢とのいずれで挿入されても有効に使うことができる。
【００１９】
本発明の第８の特徴構成は、前記ロック／排出機構は、記録媒体の側面に設けられた被係止部と係止可能で、係止された記録媒体を前記挿入状態に配置するロック位置と、記録媒体を前記排出状態に配置するイジェクト位置との間で移動可能なスライダ、前記一度目の押し込み操作に応じて前記スライダを前記ロック位置にロックするロック機構、及び、前記二度目の押し込み操作に応じて前記スライダを前記イジェクト位置に押出す付勢手段を備えている点にある。
【００２０】
したがって、本発明の第８の特徴構成による記録媒体用コネクタでは、二度目の押し込み操作によって記録媒体が排出状態まで排出される際に、左右一対の付勢手段から記録媒体に対して排出の操作力が加えられ、記録媒体に対して左右均等な排出操作力が働くので、記録媒体が排出途中で傾斜することなく真っ直ぐに排出され、同時に、左右に設けられた個々の付勢手段の付勢力を、左右の一方に設けられた付勢手段から排出の操作力が加えられる構成に比して小さく設定することができる。また、一度目の押し込み操作で記録媒体を押し込み操作する際にも、左右一対の付勢手段に抗して押し込み操作するので、記録媒体が真っ直ぐに正しい姿勢で押し込まれ易い。
さらに、二度目の押し込み操作によって記録媒体が排出状態まで排出された時、左右一対のスライダが記録媒体の両側面に設けられた各々の被係止部と係止しているので、左右の一方に設けられたスライダが記録媒体の一方の側面の被係止部と係止する構成に比して記録媒体を排出状態に保持する保持力が高まり、その結果、記録媒体がスライダによる係止状態を超えて記録媒体用コネクタから飛び出してしまう可能性をより確実に抑制することができる。
【００２１】
本発明によるその他の特徴および利点は、以下図面を用いた実施形態の説明により明らかになるであろう。
【発明を実施するための最良の形態】
【００２２】
図１は、本発明の一実施形態としてのカードコネクタ１（記録媒体用コネクタの一例）と、このカードコネクタ１に装着されるメモリーカード５０（記録媒体の一例）を示す。ここには、発明を説明する上での便宜から、表向き姿勢に配置したメモリーカード５０（図の左側）と、裏向き姿勢に配置したメモリーカード５０（図の右側）とが同時に示されている。
【００２３】
（メモリーカードの構成）
メモリーカード５０の裏面の先端側には１１個の端子５１が設けられている。また、メモリーカード５０の外形輪郭を表面側から見ると、その側の左側の側部は台形状に切り欠かれており、その結果、右側の側面は先端の前端面５０ａに対して直角に延びた概して一本の直線状辺５０ｂからなるが、左側の側面は、前端面５０ａに対して直角に延びた先端側の第１直線状辺５０ｃ、第１直線状辺５０ｃから斜め後方に延びた第２直線状辺５０ｄ、及び、第２直線状辺５０ｄから前端面５０ａに対して直角に延びた第３直線状辺５０ｅからなる。そして、メモリーカード５０の表面側にはその左右の側面に、一対の係止凹部５２ａ，５２ｂ（被係止部の一例）が設けられている。また、前端面５０ａの左右端部は一対の被接当部５３ａ，５３ｂを構成している。一対の係止凹部５２ａ，５２ｂは、それぞれ右側の直線状辺５０ｂと左側の第３直線状辺５０ｅとに位置し、先端の端面５０ａからの距離は互いに等しい。
【００２４】
（カードコネクタの概略構成）
図２に示すように、カードコネクタ１は、プラスチック製のボディ２と、ボディ２に対して連結された金属製のカバー３とを有する。ボディ２とカバー３とは、挿入されたメモリーカード５０を受け入れて支持するハウジング１ａを構成している。ボディ２の後方には、挿入されたメモリーカード５０の端子５１と電気的に接続するコンタクト部４，５が設けられている。
【００２５】
このカードコネクタ１の一つの特徴は、ハウジング１ａが、メモリーカード５０を端子５１が下向きの表向き姿勢と端子５１が上向きの裏向き姿勢とのいずれで挿入しても、これをハウジングが損傷することなく受け入れて支持可能であること、そして、前記コンタクト部として、メモリーカード５０が表向き（ノーマル）姿勢で挿入された時に端子５１と接続する第１コンタクト部４と、メモリーカード５０が裏向き（リバース）姿勢で挿入された時に端子５１と接続する第２コンタクト部５とを別々に備えているので、メモリーカード５０が表裏いずれの姿勢で挿入されても第１コンタクト部４と第２コンタクト部５のいずれかがメモリーカード５０の端子５１と電気的に正しく接続され、コネクタとしての機能を果たす点である。
【００２６】
このために、図３に示すように、ボディ２の後方には、第１コンタクト部４を構成する１１個のノーマルコンタクト４ａと、第２コンタクト部５を構成する１１個のリバースコンタクト５ａとが押し嵌めによって取り付けられている。そして、ノーマルコンタクト４ａとリバースコンタクト５ａとは、遊端側にメモリーカード５０の端子５１と接当可能な接点を備えた板バネ部材からなり、ノーマルコンタクト４ａとリバースコンタクト５ａの前記接点どうしは、メモリーカード５０の挿入方向に関して互いに対向する位置に配置されているので、ノーマルコンタクト４ａとリバースコンタクト５ａの一方がメモリーカード５０の端子５１と電気的に接続する際には、ノーマルコンタクト４ａとリバースコンタクト５ａの他方がメモリーカード５０の端子５１を、ノーマルコンタクト４ａとリバースコンタクト５ａの一方の接点に弾性的に押し付け、良好な電気的な接続状態を確保する作用を果たす。
【００２７】
図２と図３に示すように、ボディ２の左右の側面付近には、後述するスライダ１０，１１を摺動自在に受け入れるスライド溝２ａが形成されている。
また、左右のスライド溝２ａ内には、スライダ１０，１１がカードコネクタ１の前後方向に摺動自在に装着されている。左右のスライダ１０，１１どうしは、カードコネクタ１の左右の中心を基準に概して左右対称の形状を有する。スライダ１０，１１は、プラスチックの一体成形で形成されており、スライド溝２ａ内を前後方向に摺動移動するスライダ本体１０ａ，１１ａを有する。スライダ本体１０ａ，１１ａの各後端付近からは、挿入されるメモリーカード５０と接当可能な接当部１０ｂ，１１ｂがボディ２の左右中心向きに延びている。接当部１０ｂ，１１ｂは、メモリーカード５０の第１と第２被接当部５３ａ，５３ｂに対応して設けられている。また、スライダ本体１０ａ，１１ａの内側の前後方向の中央部付近からは弾性片１０ｃ，１１ｃが前端向きに延びており、各弾性片１０ｃ，１１ｃの先端には爪部１０ｄ，１１ｄが形成されている。爪部１０ｄ，１１ｄは、メモリーカード５０の係止凹部５２ａ，５２ｂに対応して設けられている。
【００２８】
各スライダ１０，１１には、ハートカム１０ｅ，１１ｅと呼ばれる上向きのカム溝が形成されている。ハートカム１０ｅ，１１ｅの形状と機能の詳細については後述する。また、ボディ２の各スライド溝２ａの前端付近には、スライダ１０，１１の移動方向に沿って延びたフックピン１３の下向きの一端１３ａがほぼ垂直な軸芯回りで枢支連結されている（図３を参照のこと）。フックピン１３のやはり下向きの他端は、ハートカム１０ｅ，１１ｅのカム溝に従って左右に移動する倣い軸１３ｂの役目を果たしており、カバー３に板金加工で形成されたバネ板部３ｈによって、ハートカム１０ｅ，１１ｅを構成するカム溝の内のいずれかの箇所に押付けられている。
【００２９】
そして、左右のスライド溝２ａ内のスライダ１０，１１の後方にはコイルバネ１５（付勢手段の一例）が支持されており、このコイルバネ１５は、スライダ１０，１１をハウジング１ａの開口部側に押出す方向の付勢力を発揮する。スライダ１０，１１は、メモリーカード５０を装着する際の押し込み操作に基づき、コイルバネ１５の付勢力に抗して、スライド溝２ａの前端と接当した位置（図３、図６及び図８に示す状態）と、スライド溝２ａの後端と近接した位置（図７（ロ）等に示す状態）との間でスライド溝２ａ内を前後方向に摺動移動する。尚、ボディ２の後方の左右端部付近には、一対の円柱状のバネ支持部７ａ，７ｂが備えられ、左右のスライド溝２ａ内に延出している。コイルバネ１５はこれらのバネ支持部７ａ，７ｂに外嵌支持される。
【００３０】
（挿入検出機構の構成）
また、カードコネクタ１には、メモリーカード５０が挿入されたことを電気的に検出する挿入検出機構が設けられている。この挿入検出機構は、ハウジング１ａの最奥部に設けられた拡開型検出部材３０と、これに対応する接触片部材３１とからなる。拡開型検出部材３０は、コネクタ幅方向の中央側部位３０ａが、両端部位３０ｂよりも、記録媒体挿入口側である開口側に突出した「く」の字型形を呈する弾性金属部材である。両端部位３０ｂの一方はボディ２の後端付近に固定されており、他方はボディ２に対して左右に変位可能な遊端となっている。図７（イ）と図７（ロ）から理解されるように、メモリーカード５０が挿入されると、突出した中央側部位３０ａがメモリーカード５０の前端面５０ａによって押されて、拡開型検出部材３０は拡開変形し、拡開型検出部材３０の幅方向一方端が接触片部材３１と電気的に導通するので、メモリーカード５０の挿入が検出される。一方、メモリーカード５０が取り出された場合には、その待機姿勢である「く」の字型に復帰し、接触片部材３１との導通が解除される。すなわち、接触片部材３１と拡開型検出部材３０との導通が確保された場合に、記録媒体が挿入状態にあり、導通状態にない場合に記録媒体が非挿入状態にあると判断する。この判断回路（不図示）は、カードコネクタ１が基板７０を介して装備される機器側に設けてもよいし、カードコネクタ１側に設けてもよい。
【００３１】
さらに、拡開型検出部材３０の遊端側の端部側部位３０ｂには、図４に示すように、接触片部材３１の幅方向の内側端に開口する切り欠き３０ｃを設け、他方、接触片部材３１には、切り欠き３０ｃに嵌り込む嵌込部３１ｃを設けている。これら切り欠き３０ｃと嵌込部３１ｃとは、拡開型検出部材３０をその拡開動作、あるいはその拡開状態からの「く」の字形状への復帰動作に当たって案内する案内部Ｇを構成している。メモリーカード５０の挿入操作においては、案内部Ｇが案内として働き、拡開型検出部材３０と接触片部材３１との摺動位置関係を良好に維持できる。
【００３２】
（ハートカムの構成）
左右のスライダ１０，１１に設けられたハートカム１０ｅ，１１ｅは互いに、カードコネクタ１の左右の中心を基準に左右対称の形状を呈しているので、右側のスライダ１０のハートカム１０ｅについてのみ説明する。図１１に例示するように、ハートカム１０ｅは、上方に突出した突起部２０の周囲にハート形状を呈するように形成された一連のカム溝２１を有する。カム溝２１は、メモリーカード５０が挿入されていない時、すなわち、スライダ１０がスライド溝２ａの前端の初期位置（後述するイジェクト位置と同じ）にある時にフックピン１３の倣い軸１３ｂが位置する待機レーン２１ａと、ユーザーによるメモリーカード５０の一度目の押し込み操作に応じて倣い軸１３ｂを待機レーン２１ａから待機レーン２１ａと反対側の第１死点Ｓ１まで案内する挿入レーン２１ｂと、ユーザーがメモリーカード５０の一度目の押し込み力を弛めた時に倣い軸１３ｂを第１死点Ｓ１から突起部２０の一端に凹部状に形成されたロック凹部Ｓ２（ロック機構の一例）まで案内するロックレーン２１ｃと、ユーザーによるメモリーカード５０の二度目の押し込み操作に応じて倣い軸１３ｂをロック凹部Ｓ２から待機レーン２１ａと反対側の第２死点Ｓ３まで案内する離脱レーン２１ｄと、ユーザーがメモリーカード５０の二度目の押し込み力を緩めた時に倣い軸１３ｂを第２死点Ｓ３から待機レーン２１ａへと復帰させるイジェクトレーン２１ｅとからなる。
【００３３】
尚、挿入レーン２１ｂとイジェクトレーン２１ｅとの間には、一度目の押し込み操作に応じて倣い軸１３ｂがイジェクトレーン２１ｅに進入するのを阻止する縦壁ｗ１が形成されており、挿入レーン２１ｂとロックレーン２１ｃとの間には、ユーザーがメモリーカード５０の一度目の押し込み力を緩めた時に倣い軸１３ｂが挿入レーン２１ｂに戻ることを阻止する縦壁ｗ２が形成されており、ロックレーン２１ｃと離脱レーン２１ｄとの間には、ユーザーによるメモリーカード５０の二度目の押し込み操作に際して倣い軸１３ｂが第１死点Ｓ１に戻ることを阻止する縦壁ｗ３が形成されており、離脱レーン２１ｄとイジェクトレーン２１ｅとの間には、ユーザーがメモリーカード５０の二度目の押し込み力を緩めた時に倣い軸１３ｂが離脱レーン２１ｄに戻ることを阻止する縦壁ｗ４が形成されている。
ハートカム１０ｅ，１１ｅとフックピン１３とコイルバネ１５とは、一度目のメモリーカード５０の押し込み操作に基づいてメモリーカード５０の端子５１とコンタクト部４（または５）とが接続された挿入状態にロックし、二度目のメモリーカード５０の押し込み操作に基づいてメモリーカード５０を取り出し可能な排出状態まで排出するロック／排出機構を構成している。
【００３４】
（表向き挿入時の作用）
メモリーカード５０を挿入する前の状態では、外力が何も作用していないので、左右のスライダ１０，１１はいずれもスライド溝２ａの前端の初期位置（イジェクト位置）にあり、フックピン１３の倣い軸１３ｂは待機レーン２１ａに位置する。
次に、図６に示すように、メモリーカード５０を表向きにした状態でカードコネクタ１のハウジング１ａ内に挿入すると、先ず、左右のスライダ１０，１１の弾性片１０ｃ，１１ｃの外向きの弾性変形を経て、左右の弾性片１０ｃ，１１ｃの各爪部１０ｄ，１１ｄがメモリーカード５０の左右の係止凹部５２ａ，５２ｂ内に係入し、同時に、メモリーカード５０の第１と第２被接当部５３ａ，５３ｂがスライダ１０，１１の接当部１０ｂ，１１ｂと接当する（初期状態）。この状態では、左右のスライダ１０，１１はいずれも未だスライド溝２ａの前端の初期位置にある。また、この時、拡開型検出部材３０は、メモリーカード５０からの押圧力を受けていないために、その初期状態である「く」の字状を保っており、この拡開型検出部材３０と接触片部材３１とは導通状態にはない。
【００３５】
この状態からユーザーがメモリーカード５０に対して一度目の押し込み操作を行うと、その押し込み操作の途中で、左右のスライダ１０，１１がコイルバネ１５の付勢力に抗してスライド溝２ａ内で押し込み操作され、同時に、各スライダ１０，１１のフックピン１３の倣い軸１３ｂは待機レーン２１ａから挿入レーン２１ｂに進入する。この時、拡開型検出部材３０は、メモリーカード５０からの押圧力を受けて拡開状態となり、拡開型検出部材３０の端部側部位３０ｂが接触片部材３１に接触し、挿入が検出される。さらに一度目の押し込み操作を続けて、メモリーカード５０が最も奥まで押し込まれ、ハウジング１ａの内面後端に到達すると、各フックピン１３の倣い軸１３ｂは第１死点Ｓ１に案内される。この時も、拡開型検出部材３０は接触片部材３１との導通状態を保持している。
【００３６】
ユーザーがメモリーカード５０への一度目の押し込み力を緩めると、図７（イ）に示すように、コイルバネ１５の付勢力によってメモリーカード５０はスライダ１０，１１と共に僅かにカードコネクタ１の前端側に押し戻され、同時に、スライダ１０，１１のフックピン１３の倣い軸１３ｂはコイルバネ１５の付勢力によってロック凹部Ｓ２に押付けられて同箇所にロックされ（この時、スライダ１０，１１もロック位置にある）、メモリーカード５０は、図１０（イ）に示すように、メモリーカード５０の下面に位置する端子５１が第１コンタクト部４と電気的に接続した挿入状態にロックされる（第２コンタクト部５は使用されない）。この時、拡開型検出部材３０は未だ接触片部材３１との導通状態を保持している。
【００３７】
次に、ユーザーがメモリーカード５０に対して二度目の押し込み操作を行うと、図７（ロ）に示すように、左右のスライダ１０，１１のフックピン１３の倣い軸１３ｂがロック凹部Ｓ２を抜け出して第２死点Ｓ３に達する。次に、前記二度目の押し込み力を緩めると、各倣い軸１３ｂは第２死点Ｓ３からイジェクトレーン２１ｅに進入し、最終的に待機レーン２１ａに戻り、これに応じて、左右のスライダ１０，１１は各コイルバネ１５の付勢力によってイジェクト位置（初期位置）まで真っ直ぐに押出される。メモリーカード５０は左右のスライダ１０，１１の爪部１０ｄ，１１ｄによって左右均等に係止された状態で、ユーザーが指で取り出し可能な排出状態まで排出され、図６の状態に戻る。この時、拡開型検出部材３０も、拡開型検出部材３０と接触片部材３１との接触が断たれ、非導通状態となり、初期状態に復帰する。
【００３８】
（裏向き挿入時の作用）
メモリーカード５０を裏向きで挿入する際の作用は、一度目の押し込み操作によってメモリーカード５０の端子５１が、第１コンタクト部４ではなく、ハウジング１ａ内の上方に設けられた第２コンタクト部５と電気的に接続した挿入状態にロックされる点を除けば、前述した表向きで挿入する際の作用と基本的に同じである。
すなわち、図８に示すように、メモリーカード５０を裏向きにした状態でカードコネクタ１のハウジング１ａ内に挿入すると、先ず、左右のスライダ１０，１１の弾性片１０ｃ，１１ｃの外向きの弾性変形を経て、右側の弾性片１０ｃの爪部１０ｄがメモリーカード５０の右の係止凹部５２ｂ内に係入し、左側の弾性片１１ｃの爪部１１ｄがメモリーカード５０の左の係止凹部５２ａ内に係入し、同時に、メモリーカード５０の第１及び第２被接当部５３ａ，５３ｂが、右左のスライダ１１，１０の接当部１１ｂ，１０ｂと接当する（初期状態）。この状態では、左右のスライダ１０，１１は未だいずれもスライド溝２ａの前端の初期位置（イジェクト位置）にある。また、拡開型検出部材３０と接触片部材３１とは導通状態にはない。
【００３９】
この状態からユーザーがメモリーカード５０に対して一度目の押し込み操作を行うと、その押し込み操作の途中で、スライダ１１がコイルバネ１５の付勢力に抗してスライド溝２ａ内で押し込み操作され、同時に、スライダ１０，１１の各フックピン１３の倣い軸１３ｂは待機レーン２１ａから挿入レーン２１ｂに進入する。この時、拡開型検出部材３０は、メモリーカード５０からの押圧力を受けて拡開状態となり、拡開型検出部材３０の端部側部位３０ｂが接触片部材３１に接触し、挿入が検出される。さらに一度目の押し込み操作を続けて、メモリーカード５０が最も奥まで押し込まれ、ハウジング１ａの内面後端に接当すると、各フックピン１３の倣い軸１３ｂは第１死点Ｓ１に案内される。
次に、ユーザーがメモリーカード５０の一度目の押し込み力を緩めると、図９（イ）に示すように、コイルバネ１５の付勢力によってメモリーカード５０はスライダ１０，１１と共に僅かにカードコネクタ１の前端側に押し戻され、同時に、スライダ１０，１１の各フックピン１３の倣い軸１３ｂはコイルバネ１５の付勢力によってロック凹部Ｓ２に押付けられて同箇所にロックされ（この時、スライダ１０，１１もロック位置にある）、メモリーカード５０は、図１０（ロ）に示されるように、メモリーカード５０の上面に位置する端子５１が第２コンタクト部５と電気的に接続した挿入状態にロックされる（第１コンタクト部４は使用されない）。この時、拡開型検出部材３０は未だ接触片部材３１との導通状態を保持している。
【００４０】
次に、ユーザーがメモリーカード５０に対して二度目の押し込み操作を行うと、図９（ロ）に示すように、左右のスライダ１０，１１の各フックピン１３の倣い軸１３ｂがロック凹部Ｓ２を抜け出して第２死点Ｓ３に達し、二度目の押し込み力を弛めると、各倣い軸１３ｂは第２死点Ｓ３からイジェクトレーン２１ｅに進入し、最終的に待機レーン２１ａに戻る。これに応じて、左右のスライダ１０，１１は各コイルバネ１５の付勢力によってイジェクト位置（初期位置）まで真っ直ぐに押出される。メモリーカード５０は左右のスライダ１０，１１の爪部１０ｄ，１１ｄによって左右均等に係止された状態で、ユーザーが指で取り出し可能な排出状態まで排出され、図８の状態に戻る。
【００４１】
（組立て及び実装の手順）
本発明のカードコネクタ１のもう一つの特徴は、組立が完了したカードコネクタ１を基板７０に実装する際に基板７０のアース用のランド部７０ａに半田付けなどによって接合されるアース端子６０が、カードコネクタ１の組立が完了した時点で、すなわち基板７０に実装する前から予めボディ２とカバー３との間に取り付けられていることである。図２及び図３に示すように、アース端子６０は、基板７０のランド部７０ａに接合可能な板状の基端部６０ａと、基端部６０ａから垂直に延びた立設部６０ｂ（被連結体の一例）とからなる。立設部６０ｂの幅寸法は基端部６０ａに比して大きく作られており、立設部６０ｂの左右下端部には、基端部６０ａ側に面した一対の係止端面６１が形成されている。また、立設部６０ｂの中央付近には矩形の貫通孔６２（係止機構の一例）が形成されている。
【００４２】
図２に示すように、カードコネクタ１のカバー３は、概して板状のカバー本体３ａと、カバー本体３ａの側面から直角に下方に延びたカバー側部３ｂとを有する。図２と図５に示すように、カバー本体３ａの後方の左右端部付近には、カバー本体３ａの一部を下方に曲げ加工した板状断片からなる一対の第１連結片３ｃが設けられており、第１連結片３ｃの中央付近には貫通孔状の嵌合孔が形成されている。また、図２に示すように、カバー３の左右の前端付近にも、カバー本体３ａの一部を下方に曲げ加工した板状断片からなる一対の弾性を備えた第２連結片３ｅ（押し付け手段の一例）が設けられている。さらに、第２連結片３ｅの一部は、カードコネクタ１の後方に向けて切り起こされることで、上方に延びた爪部３ｆ（係止機構の一例）を形成している。また、図２と図４に示すように、カバー側部３ｂには矩形の貫通孔状の嵌合孔３ｇが複数形成されている。
【００４３】
他方、ボディ２の左右の前端付近には、アース端子６０を装着するための一対の端子係止部２Ｃが設けられており、各端子係止部２Ｃには、アース端子６０の立設部６０ｂを上方から受け入れるように垂直に延びた受入れ溝２Ｄが形成されている。受入れ溝２Ｄ内には、立設部６０ｂと前後方向で対向可能な支持壁部４０（図２と図１３を参照）と、アース端子６０の横向きに延びた係止端面６１（図２を参照）を下方から支持する上向きの支持端面４１（図２と図３を参照）とが形成されている。また、ボディ２の後端の左右端部付近には、カバー３の第１連結片３ｃの嵌合孔に嵌合される嵌合突起２Ｂが、そして、ボディ２の両側面には、カバー３の嵌合孔３ｇ内に嵌まり込む複数の嵌合突起２Ｅが形成されている。さらに、図２及び図４に示すように、ボディ２の後方の端面には、各ノーマルコンタクト４ａを係止する１１個のコンタクト係止部２Ｆ、及び、各リバースコンタクト５ａを係止する１１個の係止部２Ｇが形成されている。
また、図４に示すように、ボディ２の裏面には、拡開型検出部材３０を挿入するための挿入孔２Ｘ、拡開型検出部材３０の一方の端部３０ｂを嵌め込むための係止部２Ｙ、及び、接触片部材３１嵌め込むための係止部２Ｚが設けられている。
【００４４】
カードコネクタ１の組立て、及び、基板７０への実装は、例えば次のような方法で実施することができる。
先ず、図２に示すように、１１個のノーマルコンタクト４ａをボディ２の各コンタクト係止部２Ｆにボディ２の後端側から押し嵌めし、同様に、１１個のリバースコンタクト５ａを同じくボディ２の各コンタクト係止部２Ｇにボディ２の前方側から押し嵌めする。そして、バネ支持部７ａ，７ｂにコイルバネ１５を外嵌させ、次に、コイルバネ１５を押し縮めながら各スライダ１０，１１をボディ２の左右のスライド溝２ａに装着し、引き続き、フックピン１３をボディ２とスライダ１０，１１との間に装着する。これには、フックピン１３の一端１３ａがボディ２の各スライド溝２ａの前端に枢支連結され、フックピン１３の他端１３ｂがスライダ１０，１１のハートカム１０ｅ，１１ｅの待機レーン２１ａに位置するように装着すれば良い。さらに、拡開型検出部材３０及び接触片部材３１をボディ２に装着する。
【００４５】
次に、一対のアース端子６０をボディ２に取り付ける。この取り付けを行うには、アース端子６０の基端部６０ａを下向きにして、立設部６０ｂの係止端面６１がボディ２の支持端面４１に当接されるまで、ボディ２の受入れ溝２Ｄ内に下向きに押し込めば良い。これによって、アース端子６０の立設部６０ｂがボディ２の受入れ溝２Ｄの支持壁部４０と前後方向で対向し、且つ、アース端子６０のボディ２から下向きの変位が阻止された状態で、アース端子６０のボディ２への取り付けが完了する。
【００４６】
さらに、カバー本体３ａをボディ２に取り付ける。この取り付けの際には、先ず、図５に示すように、カバー３の後端左右に配置された第１連結片３ｃの嵌合孔をボディ２の後端の嵌合突起２Ｂに嵌合させ、次に、カバー３の嵌合孔３ｇをボディ２の両側面の嵌合突起２Ｅに嵌合させながら、カバー３の前端左右に配置された第２連結片３ｅを、既にボディ２に取り付けてあるアース端子６０の立設部６０ｂに沿って下方に摺動させる。すると、第２連結片３ｅに設けられた爪部３ｆが、アース端子６０の立設部６０ｂの貫通孔６２内に嵌り込んで、爪部３ｆが貫通孔６２の上縁部の端面に係止され、同時に、アース端子６０の立設部６０ｂが第２連結片３ｅによってボディ２の支持壁部４０に弾性的に押し付け保持されるので、以後、第２連結片３ｅのアース端子６０に対する上向きの相対移動が阻止される（この様子は図１３から理解される）。但し、この状態は、未だアース端子６０はボディ２の受入れ溝２Ｄから上方向きに抜け出し可能であるため、カバー３のボディ２に対する一次取り付け、いわば仮の取り付けが完了しただけで、カバー３のボディ２に対する最終的な取り付けは完了していない。尚、この一次取り付けが完了すると、カバー３の左右のバネ板部３ｈがフックピン１３の他端付近を下向きに弾性的に押さえ付け、その結果、フックピン１３の倣い軸１３ｂは、ハートカム１０ｅ，１１ｅの待機レーン２１ａに軽く押付けられる。
【００４７】
最後に、図１２と図１３に示すように、アース端子６０の基端部６０ａを基板７０のランド部７０ａに半田付けなどで接合すると、カバー３のボディ２に対する二次取り付け、すなわち最終的な取り付けが完了する。この最終的な取り付けが完了すると、以後、アース端子６０の基板７０に対する上方向きの相対移動が規制される。第２連結片３ｅによってアース端子６０に確実に接地されているカバー３は、基板７０を介して確実に接地（アース）され、同時に、もしもユーザーがメモリーカード５０を挿入しようとする際に、メモリーカード５０によって、カバー３をボディ２から引き外そうとする強いこじり力が加えられても、同こじり力は、ボディ２によってではなく、アース端子６０が接合された基板７０によって受け止められるので、同こじり力によってカバー３がボディ２から浮き上がる事態が確実に抑制される。
【００４８】
尚、図１３に示すように、最終的な取り付けが完了した状態で見ると、第２連結片３ｅの下端は、下方の部位ほど支持壁部４０から離間するように斜め下方に延びた傾斜舌片３ｍとなっている。傾斜舌片３ｍの内面は、前記一次取り付けを行う際に、第２連結片３ｅを既にボディ２に取り付けてあるアース端子６０の立設部６０ｂに沿って下向きに案内するための案内手段として機能する。また、傾斜舌片３ｍは、支持壁部４０から僅かながら離間しているので、実装されているカードコネクタ１を基板７０から取り外す必要が生じた際には、螺旋回し等の工具の先端を傾斜舌片３ｍに引っ掛けてこじ開けることによって、爪部３ｆをアース端子６０の貫通孔６２から引き出すことが容易にできる。これによって、カバー３とアース端子６０の間の係合が解除されるので、この時、同時に、カバー３の嵌合孔３ｇをボディ２の両側面の嵌合突起２Ｅから外し、カバー３の後端左右の第１連結片３ｃをボディ２の嵌合突起２Ｂから外せば、カードコネクタ１を容易に基板７０から取り外すことができる。
【００４９】
〔別実施の形態〕
上記の実施形態では、記録媒体の挿入・排出が、プッシュ−プッシュ（第一の押し込み動作及び第二の押し込み動作）に伴って起こるものとしたが、この種の動作の代わりに、イジェクト動作、レバーイジェクト動作、手動イジェクト動作等に対応して、記録媒体の挿入・排出を行う記録媒体用コネクタ等、メディアの挿抜を行うことにより使用できる全ての記録媒体用コネクタに、本願構成を採用できる。
【００５０】
また、上記の実施の形態にあっては、記録媒体を表・裏、どの姿勢で挿入しても、コンタクトを確立できる構成のものに本願構造を採用することとしたが、本来の姿勢である表姿勢の挿入操作のみにおいて記録媒体の挿入・排出が可能な記録媒体用コネクタにも本願構造は当然に採用可能である。
【図面の簡単な説明】
【００５１】
【図１】記録媒体用コネクタとメモリーカードを示す斜視図
【図２】記録媒体用コネクタの分解斜視図
【図３】記録媒体用コネクタのボディに取り付けられた状態の各部品を示す斜視図
【図４】各部品を取り付ける前のボディを斜め後方から見た斜視図
【図５】各部品を取り付け後のボディを斜め後方から見た斜視図
【図６】メモリーカード（表向き）が初期位置（イジェクト位置）にある時の平面図
【図７】メモリーカード（表向き）に押し込み操作を加えた時の作用を示す平面図
【図８】メモリーカード（裏向き）が初期位置（イジェクト位置）にある時の平面図
【図９】メモリーカード（裏向き）に押し込み操作を加えた時の作用を示す平面図
【図１０】ロック位置における記録媒体用コネクタとメモリーカードとを示す横断面図
【図１１】ハートカムの作用を示す平面図
【図１２】基板に実装された記録媒体用コネクタのアース端子付近を示す斜視図
【図１３】基板に実装された記録媒体用コネクタのアース端子付近を示す破断側面図
【符号の説明】
【００５２】
１  カードコネクタ（記録媒体用コネクタ）
１ａ  ハウジング
２  ボディ
２Ｃ  端子係止部
２Ｄ  受入れ溝
４０  支持壁部
４１  支持端面
３  カバー
３ｃ  第１連結片
３ｅ  第２連結片（押し付け手段）
３ｆ  爪部（係止機構）
６０  アース端子
６０ｂ  立設部
６１  係止端面
６２  貫通孔（係止機構）
７０  基板
４  第１コンタクト部
５  第２コンタクト部
１０，１１  スライダ
１０ｂ，１１ｂ  接当部
１０ｄ，１１ｄ  爪部
１０ｅ，１１ｅ  ハートカム
Ｓ２  ロック凹部
１３  フックピン
１５  コイルバネ
３０  拡開型検出部材
３０ａ中央側部位
３０ｂ端部側部位
３０ｃ嵌入部
３１  接触片部材
Ｇ    案内部
５０  メモリーカード（記録媒体）
５１  端子
５２ａ，５２ｂ  係止凹部（被係止部）
５３ａ，５３ｂ  被接当部
【図１】
2006085979.tif 000003
【図２】
2006085979.tif 000004
【図３】
2006085979.tif 000005
【図４】
2006085979.tif 000006
【図５】
2006085979.tif 000007
【図６】
2006085979.tif 000008
【図７】
2006085979.tif 000009
【図８】
2006085979.tif 000010
【図９】
2006085979.tif 000011
【図１０】
2006085979.tif 000012
【図１１】
2006085979.tif 000013
【図１２】
2006085979.tif 000014
【図１３】
2006085979.tif 000015